(57)【要約】      （修正有）【課題】感知ユニットにより自転車の異常移動を感知し、無線通信モジュールにより、遠隔の車主に通知して、即時に自転車の盗難を阻止する盗難防止装置を提供する。【解決手段】自転車の盗難防止装置は、監視装置と警告装置とからなる。監視装置は自転車の移動量を感知し、移動量が異常時に、警告信号を警告装置に無線伝送する。警告信号を受信するとき、警告装置は、提示ユニットにより生成された識別信号により、使用者に異常状況の発生を通知する。上述の自転車の盗難防止装置は、自転車の異常移動を感知して、無線通信モジュールにより遠隔の車主に通知し、車主は即時に自転車の盗難を阻止することができる。この他、監視装置は体積が小さく、自転車のパーツとの整合が容易で、よって、装置は泥棒に気づかれにくいので破壊されず、警告装置との通信を維持することができる。【選択図】図１
0003152075.tif 000002
【実用新案登録請求の範囲】
【請求項１】
自転車の盗難防止装置であって、自転車に設置される監視装置と、警告装置と、からなり、
前記監視装置は、
前記自転車の移動量を感知する感知ユニットと、
前記感知ユニットと電気的に接続し、前記移動量が異常か判断し、異常時に警告信号を出力する第一制御器と、
前記第一制御器と電気的に接続し、前記警告信号を無線伝送する第一無線通信モジュール、および、
前記監視装置に必要な電源を供給する第一電源モジュール、からなり、
前記警告装置は、
前記警告信号を無線受信する第二無線通信モジュールと、
使用者が識別できる信号を生成する提示ユニットと、
前記第二無線通信モジュール、および、前記提示ユニットと電気的に接続し、前記警告信号に基づいて、前記提示ユニットを制御し、使用者に異常の発生を通知する第二制御器、および、
前記警告装置に必要な電源を供給する第二電源モジュール、からなることを特徴とする自転車の盗難防止装置。
【請求項２】
前記監視装置は、更に、GPSモジュールを含み、前記第一制御器と電気的に接続して、定位座標を生成することを特徴とする請求項１に記載の自転車の盗難防止装置。
【請求項３】
前記警告装置は、更に、保存ユニットを含み、前記第二制御器と電気的に接続し、前記定位座標、および、対応する時間を保存することを特徴とする請求項２に記載の自転車の盗難防止装置。
【請求項４】
前記警告装置は、更に、表示ユニットを含み、前記第二制御器と電気的に接続し、前記定位座標を表示することを特徴とする請求項２に記載の自転車の盗難防止装置。
【請求項５】
前記感知ユニットは加速度感知器を含むことを特徴とする請求項１に記載の自転車の盗難防止装置。
【請求項６】
前記監視装置は、更に、威嚇ユニットを含み、前記第一制御器と電気的に接続し、威嚇信号を生成することを特徴とする請求項１に記載の自転車の盗難防止装置。
【請求項７】
前記威嚇ユニットは、拡声器、発光ダイオード、或いは、それらの組み合わせであることを特徴とする請求項6に記載の自転車の盗難防止装置。
【請求項８】
前記提示ユニットは、音声生成器、光生成器、振動生成器、或いは、それらの組み合わせであることを特徴とする請求項１に記載の自転車の盗難防止装置。
【請求項９】
前記提示ユニットは、拡声器、発光ダイオード、振動モータ、或いは、それらの組み合わせであることを特徴とする請求項１に記載の自転車の盗難防止装置。
【請求項１０】
前記第一電源モジュール、および/又は、前記第二電源モジュールは充電池か一次電池であることを特徴とする請求項１に記載の自転車の盗難防止装置。
【請求項１１】
前記監視装置は、前記自転車のテールランプかフロントランプに整合されることを特徴とする請求項１に記載の自転車の盗難防止装置。
【請求項１２】
前記警告装置は、携帯電話やPDAに整合されることを特徴とする請求項１に記載の自転車の盗難防止装置。
【考案の詳細な説明】
【技術分野】
【０００１】
本考案は、盗難防止装置に関するものであって、特に、自転車の盗難防止装置に関するものである。
【背景技術】
【０００２】
石化燃料は将来使い果たされるエネルギーで、その上、石化燃料の使用により排出される廃棄ガスは空気を汚染し、地球温暖化の元凶の一つとなっている。また、近年のエコロジーと健康ブームの趨勢において、燃料を必要としない自転車を移動手段とする人が増加している。
【０００３】
自転車の体積は小さく、特に、高価な自転車は更にコンパクトで、分解しやすく、よって、盗難のリスクが高い。市販の盗難防止用具は、多くが目に付きやすいところに設置され、自転車のタイヤを鎖固するものである。しかし、このような盗難防止用具は破壊されやすく、効果的な盗難防止方法とはいえない。
よって、これを改善できる自転車の盗難防止装置が必要とされている。
【考案の概要】
【考案が解決しようとする課題】
【０００４】
本考案の目的は、自転車の盗難防止装置を提供し、感知ユニットにより自転車の異常移動を感知し、無線通信モジュールにより、遠隔の車主に通知して、即時に自転車の盗難を阻止することである。
また、本考案の自転車の盗難防止装置は、体積を小さくし、隠蔵したり、自転車のパーツとの整合を容易にして、泥棒に気づかれて破壊されるリスクを減少させ、車主との通信を維持することをもう一つの目的とする。
【課題を解決するための手段】
【０００５】
上述の目的と達成するため、本考案の自転車の盗難防止装置は、自転車に設置される監視装置と、警告装置と、からなる。監視装置は、感知ユニット、第一制御器、第一無線通信モジュール、および、第一電源モジュール、からなる。感知ユニットは、自転車の移動量を感知する。第一制御器と感知ユニットは電気的に接続し、移動量が異常か判断し、異常時に警告信号を出力する。第一無線通信モジュールと第一制御器は電気的に接続し、警告信号を無線伝送する。第一電源モジュールは監視装置に必要な電源を供給する。警告装置は、第二無線通信モジュール、提示ユニット、第二制御器、および、第二電源モジュール、からなる。第二無線通信モジュールは、監視装置が再送する警告信号を無線受信する。提示ユニットは、使用者が識別できる信号を生成する。第二制御器と第二無線通信モジュール、および、提示ユニットは電気的に接続し、警告信号に基づいて、提示ユニットを制御し、使用者に異常の発生を通知する。第二電源モジュールは、警告装置に必要な電源を供給する。
【考案の効果】
【０００６】
本考案の自転車の盗難防止装置は、感知ユニットにより自転車の異常移動を感知し、無線通信の方式で、遠隔の車主に通知して、即時に自転車の盗難を阻止することができる。また、本考案の自転車の盗難防止装置は体積が小さく、隠蔵や、自転車のパーツとの整合が容易で、泥棒に気づかれて破壊されるリスクが低く、車主との通信を維持することができる。
【図面の簡単な説明】
【０００７】
【図１】本考案の実施例による自転車の盗難防止装置を示す図である。
【図２】本考案のもう一つの実施例による自転車の盗難防止装置を示す図である。
【考案を実施するための形態】
【０００８】
（実施例１）
図１を参照すると、本考案の好ましい実施例による自転車の盗難防止装置１は、自転車に設置される監視装置１１と警告装置１２とからなる。監視装置１１は、感知ユニット１１３、第一制御器１１２、第一無線通信モジュール１１１、および、第一電源モジュール１１４、からなる。感知ユニット１１３は、自転車の移動量を感知する。実施例中、感知ユニット１１３は加速度感知器で、自転車が移動したり、倒れた時に生じるシフト量を感知したり、あるいは、公知の盗難防止用具が破壊されたときに生じる振動等の物理量を感知する。
【０００９】
第一制御器１１２と感知ユニット１１３は電気的に接続する。第一制御器１１２は、感知ユニット１１３により感知された移動量が異常かどうか判断する。異常の場合、警告信号を出力する。第一無線通信モジュール１１１と第一制御器１１２は電気的に接続し、第一制御器１１２が出力する警告信号を無線伝送する。第一電源モジュール１１４は、監視装置１１に必要な電源を供給する。例えば、第一電源モジュール１１４は充電池か一次電池である。
【００１０】
警告装置１２は、第二無線通信モジュール１２１、提示ユニット１２３、第二制御器１２２、および、第二電源モジュール１２４、からなる。第二無線通信モジュール１２１は、第一無線通信モジュール１１１が伝送する警告信号を無線受信する。提示ユニット１２３は、使用者が識別できる信号を生成し、例えば、聴覚、視覚、触覚で識別できる音声、光線、振動、あるいは、以上の組み合わせである。一実施例中、提示ユニット１２３は音声生成器、光生成器、振動生成器、あるいは、それらの組み合わせである。例えば、提示ユニット１２３は拡声器、発光ダイオード、振動モーター、あるいは、以上の組み合わせである。
【００１１】
第二制御器１２２と第二無線通信モジュール１２１、および、提示ユニット１２３は電気的に接続する。第二制御器１２２は、監視装置１１が発する警告信号に基づいて、提示ユニット１２３を制御して、使用者に異常の発生、例えば、自転車の盗難を通知する。第二電源モジュール１２４は、警告装置１２に必要な電源を供給する。例えば、第二電源モジュール１２４は、充電池か一次電池である。実施例中、警告装置１２は、携帯電話やPDA等の携帯式電子装置に整合される。
【００１２】
（実施例２）
図２は、本考案のもう一つの好ましい実施例による自転車の盗難防止装置１'を示す図で、監視装置１１'は、更に、GPS(Global Positioning System)モジュール１１５を含み、第一制御器１１２と電気的に接続する。GPSモジュール１１５は衛星信号を受信するとともに、監視装置１１'の所在位置の定位座標を生成する。これにより、感知ユニット１１３が感知した移動量が異常であるとき、監視装置１１'は警告信号を無線伝送するだけでなく、GPSモジュール１１５が生成する定位座標を警告装置１２'端に無線伝送することができる。
【００１３】
説明を継続すると、実施例中、警告装置１２'は、更に、表示ユニット１２６を含み、第二制御器１２２と電気的に接続して、監視装置１１'が再送する定位座標を表示する。注意すべきことは、表示ユニット１２６は選択的な素子であり、表示ユニット１２６を未設置の実施例中では、警告装置１２'は、音声により、車主に自転車の現在位置を通知することができる。この他、警告装置１２'は保存ユニット１２５を含み、第二制御器１２２と電気的に接続する。保存ユニット１２５は、監視装置１１'が再送する定位座標、および、対応する時間を保存し、車主は、自転車盗難後の移動軌跡を把握して、盗まれた自転車を探す手助けをする。
【００１４】
図２を参照すると、監視装置１１'は、更に、威嚇ユニット１１６を含み、第一制御器１１２と電気的に接続する。威嚇ユニット１１６は、聴覚、あるいは、視覚で識別できる威嚇信号を生成する。例えば、威嚇ユニット１１６は拡声器、発光ダイオード、あるいは、それらの組み合わせである。よって、監視装置１１'は自転車の盗難過程で、威嚇ユニット１１６により音声と光を発し、窃盗を威嚇することができる。
【００１５】
注意すべきことは、威嚇ユニット１１６が発する音声や光により、窃盗犯が監視装置１１'を破壊して、窃盗が継続されるのを防止するために、威嚇ユニット１１６は選択的に配置する素子であるか、その功能を選択的に起動することである。あるいは、実施例中、監視装置１１'は自転車のテールランプかフロントランプ２０に整合される。つまり、監視装置１１'は自転車のランプであるかのように偽装されて、泥棒が監視装置１１'を破壊して、自転車の盗みを続行する機会を減少させる。
【００１６】
上述のように、本考案の自転車の盗難防止装置は、感知ユニットにより自転車の異常移動を感知して、無線通信モジュールにより遠隔の車主に通知し、車主は即時に自転車の盗難を阻止することができる。この他、本考案の盗難防止装置は体積が小さく、隠蔵や自転車のパーツとの整合が容易で、よって、装置は泥棒に気づかれにくいので破壊されず、警告装置との通信を維持し、盗難後の自転車を探す手助けをすることができる。
【００１７】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案登録請求の範囲で指定した内容を基準とする。
【符号の説明】
【００１８】
1、1'  自転車の盗難防止装置
11、11'  監視装置
111  第一無線通信モジュール
112  第一制御器
113  感知ユニット
114  第一電源モジュール
115  GPSモジュール
116  威嚇ユニット
12、12'  警告装置
121  第二無線通信モジュール
122  第二制御器
123  提示ユニット
124  第二電源モジュール
125  保存ユニット
126  表示ユニット
20  テールランプ/フロントランプ
【図１】
0003152075.tif 000003
【図２】
0003152075.tif 000004